【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
アクセサリの着脱が可能な撮像装置であって、
被写体からの光であって撮像光学系を通らない光を受けて、被写体までの距離に対応する信号を出力する第１の検出手段と、
前記第１の検出手段から出力される特定信号に基づいて、該撮像装置へのアクセサリの装着を判別する判別手段と、
前記被写体までの距離に対応する信号を用いてフォーカス制御を行う制御手段とを有し、
前記制御手段は、前記判別手段により前記アクセサリの装着が判別された場合は、該アクセサリの装着が判別されない場合に対して異なるフォーカス制御を行うことを特徴とする撮像装置。
【請求項２】
前記第１の検出手段は、複数のセンサを有し、
前記判別手段は、前記複数のセンサのうち特定のセンサから前記特定信号が入力されたことに基づいて前記アクセサリの装着を判別することを特徴とする請求項１に記載の撮像装置。
【請求項３】
撮影映像のコントラスト状態に対応する信号を生成する第２の検出手段を有し、
前記制御手段は、前記判別手段により前記アクセサリの装着が判別された場合は、前記第１の検出手段及び前記第２の検出手段からの信号に基づいてフォーカス制御を行い、前記判別手段により前記アクセサリの装着が判別されない場合は、前記第１の検出手段からの信号を用いず、前記第２の検出手段からの信号に基づいてフォーカス制御を行うことを特徴とする請求項１または２に記載の撮像装置。
【請求項４】
アクセサリの着脱が可能な撮像装置であって、
被写体からの光であって撮像光学系を通らない光を受けて、被写体までの距離に対応する信号を出力する第１の検出手段と、
前記第１の検出手段から出力される特定信号に基づいて、該撮像装置に装着されたアクセサリを識別する識別手段とを有することを特徴とする撮像装置。
【請求項５】
前記第１の検出手段は、複数のセンサを有し、
前記識別手段は、前記特定信号を出力したセンサが異なることによって前記アクセサリを識別することを特徴とする請求項４に記載の撮像装置。
【請求項６】
被写体までの距離に対応する信号を用いてフォーカス制御を行う制御手段を有し、
前記制御手段は、前記識別手段による識別結果に応じたフォーカス制御を行うことを特徴とする請求項４または５に記載の撮像装置。
【請求項７】
前記制御手段は、該第１の検出手段からの信号と前記識別手段による識別結果とに応じて距離演算を行うことを特徴とする請求項６に記載の撮像装置。
【請求項８】
撮影映像のコントラスト状態に対応する信号を生成する第２の検出手段を有し、
前記制御手段は、前記第１の検出手段と前記第２の検出手段からの信号に基づいてフォーカス制御を行うことを特徴とする請求項６又は７に記載の撮像装置。
【請求項９】
前記アクセサリは、コンバージョンレンズであることを特徴とする請求項１から８のいずれか１つに記載の撮像装置。
【請求項１０】
アクセサリの着脱が可能な撮像装置におけるアクセサリ装着判別方法であって、
被写体からの光であって撮像光学系を通らない光を受けて被写体までの距離に対応する信号を出力する第１の検出手段を駆動するステップと、
前記第１の検出手段から出力される特定信号に基づいて、該撮像装置へのアクセサリの装着を判別するステップとを有することを特徴とするアクセサリ装着判別方法。
【請求項１１】
アクセサリの着脱が可能な撮像装置におけるアクセサリ識別方法であって、
被写体からの光であって撮像光学系を通らない光を受けて被写体までの距離に対応する信号を出力する第１の検出手段を駆動するステップと、
前記第１の検出手段から出力される特定信号に基づいて、該撮像装置に装着されたアクセサリを識別するステップとを有することを特徴とするアクセサリ識別方法。
【手続補正２】
【補正対象書類名】明細書
【補正対象項目名】０００８
【補正方法】変更
【補正の内容】
【０００８】
本発明の一側面としての撮像装置は、被写体からの光であって撮像光学系を通らない光を受けて被写体までの距離に対応する信号を出力する第１の検出手段と、第１の検出手段から出力される特定信号に基づいて、該撮像装置へのアクセサリの装着を判別する判別手段と、被写体までの距離に対応する信号を用いてフォーカス制御を行う制御手段とを有する。そして、制御手段は、判別手段によりアクセサリの装着が判別された場合は、該アクセサリの装着が判別されない場合に対して異なるフォーカス制御を行うことを特徴とする。
【手続補正３】
【補正対象書類名】明細書
【補正対象項目名】００１０
【補正方法】変更
【補正の内容】
【００１０】
また、本発明の他の側面としての撮像装置のアクセサリ装着判別方法は、被写体からの光であって撮像光学系を通らない光を受けて被写体までの距離に対応する信号を出力する第１の検出手段を駆動するステップと、第１の検出手段から出力される特定信号に基づいて、該撮像装置へのアクセサリの装着を判別するステップとを有する。
【手続補正４】
【補正対象書類名】明細書
【補正対象項目名】００１１
【補正方法】変更
【補正の内容】
【００１１】
さらに、本発明の他の側面としてのアクセサリ識別方法は、被写体からの光であって撮像光学系を通らない光を受けて被写体までの距離に対応する信号を出力する第１の検出手段を駆動するステップと、第１の検出手段から出力される特定信号に基づいて、該撮像装置に装着されたアクセサリを識別するステップとを有することを特徴とする。
【手続補正５】
【補正対象書類名】明細書
【補正対象項目名】００２９
【補正方法】変更
【補正の内容】
【００２９】
また、コントラスト状態を優先させるパッシブ式ＡＦは、コントラストの低い被写体に対する測距の正確さが低くなる。このため、外部測距ユニット１２６には、各測距センサにおいて画素ずらしによる相関演算ができない場合、すなわち被写体までの距離が計測できない場合は、測距センサごとに特定信号としての検出エラー信号を出力する機能が備わっている。
【手続補正６】
【補正対象書類名】明細書
【補正対象項目名】００３１
【補正方法】変更
【補正の内容】
【００３１】
図５には、図４の撮像装置に、着脱可能なアクセサリとしてのコンバージョンレンズを装着した様子を示している。５０１はコンバージョンレンズであり、テレコンバージョンレンズやワイドコンバージョンレンズ等がある。
【手続補正７】
【補正対象書類名】明細書
【補正対象項目名】００３３
【補正方法】変更
【補正の内容】
【００３３】
図３のように測距センサＬ２，Ｌ１，Ｃがコンバージョンレンズ５０１によって覆われている状態では、該覆われた測距センサで像を検出できなかったり、検出されたとしてもその撮影映像のコントラストが低くなったりする。このような場合、前述した画素ずらしによる相関演算ができなくなる。したがって、該３つの測距センサＬ２，Ｌ１，Ｃから検出エラー信号が出力される。
【手続補正８】
【補正対象書類名】明細書
【補正対象項目名】００４７
【補正方法】変更
【補正の内容】
【００４７】
以上説明したように、本実施例によれば、ＡＦ制御に用いられる外部測距ユニット１２６（４０１）から出力される信号に基づいて、コンバージョンレンズの装着判別を行うことができる。このため、コンバージョンレンズの装着を検出するためのスイッチ等の検出手段やユーザによる設定操作を必要とすることなく、コンバージョンレンズの装着判別（アクセサリ装着判別）を行うことができる。そして、コンバージョンレンズの装着を検出した場合は、外部測距ユニット１２６を用いず、ＴＶ−ＡＦ方式でＡＦ制御を行うため、ＡＦ制御の誤作動を回避することができる。
【手続補正９】
【補正対象書類名】明細書
【補正対象項目名】００５０
【補正方法】変更
【補正の内容】
【００５０】
この場合、覆われている測距センサがそれぞれ検出エラー信号を出力するので、該検出エラー信号を出力した測距センサの組み合わせが異なることによって、第１のコンバージョンレンズと第２のコンバージョンレンズの識別（アクセサリ識別）が可能になる。
【手続補正１０】
【補正対象書類名】明細書
【補正対象項目名】００５８
【補正方法】変更
【補正の内容】
【００５８】
次に、ステップＳ３０５では、所定時間ｔ１が経過したか否かを判定し、所定時間ｔ１が経過していない場合にはステップＳ３０７に進む。一方、所定時間ｔ１が経過したと判定した場合には、撮像装置に第１のコンバージョンレンズが装着されているとみなしてステップＳ３０６に進む。このように、ステップＳ３０３及びステップＳ３０５では、外部測距ユニット１２６（測距センサＬ２，Ｒ１，Ｒ２）からの検出エラー信号に基づいて、装着されたコンバージョンレンズが第１のコンバージョンレンズであることを識別している。
【手続補正１１】
【補正対象書類名】明細書
【補正対象項目名】００６１
【補正方法】変更
【補正の内容】
【００６１】
ステップＳ３１５では、測距センサＬ１，Ｌ２，Ｒ１の全てが検出エラー信号を出力しているか否かを判定し、測距センサＬ１，Ｌ２，Ｒ１のうち少なくとも１つが検出エラー信号を出力していない場合はステップＳ３１９に進む。